(57)【特許請求の範囲】
【請求項１】
第１の画像を発生するように構成された第１の表示パネルと、
前記第１の表示パネル上に配置され、前記第１の表示パネルからの光を用いて第２の画像を発生するように構成された第２の表示パネルとを備え、
前記第１の表示パネルおよび前記第２の表示パネルの一方は単色画素を含み、各単色画素は複数の白色サブ画素を含み、
前記第１の表示パネルおよび前記第２の表示パネルの他方はカラー画素を含み、各カラー画素は原色サブ画素を含み、
前記複数の白色サブ画素の配置は、前記白色サブ画素が２×２で配置されたマトリックス状の配置を含む特定の配置を含み、前記原色サブ画素のそれぞれは前記特定の配置における前記白色サブ画素のすべてと少なくとも部分的に重なり合うように構成される、表示装置。
【請求項２】
前記第１の表示パネルは自発光表示パネルを含み、前記第２の表示パネルは非発光表示パネルを含む、請求項１に記載の表示装置。
【請求項３】
前記第１の表示パネルが、プラズマディスプレイパネル（ＰＤＰ）、有機ＥＬディスプレイ（ＯＬＥＤ）パネル、電界放出ディスプレイ（ＦＥＤ）パネル、陰極線管（ＣＲＴ）パネル、または真空蛍光表示（ＶＦＤ）パネルを含む、請求項２に記載の表示装置。
【請求項４】
前記第２の表示パネルが液晶ディスプレイ（ＬＣＤ）パネルを含む、請求項２に記載の表示装置。
【請求項５】
前記第１の表示パネルおよび前記第２の表示パネルの両方が液晶ディスプレイ（ＬＣＤ）パネルを含み、前記第１の表示パネルは前記ＬＣＤパネルの下に配置されたバックライトユニットを含む、請求項１に記載の表示装置。
【発明の詳細な説明】
【技術分野】
【０００１】
本開示は、表示装置に関する。
【背景技術】
【０００２】
プラズマディスプレイパネル（ＰＤＰ）および液晶ディスプレイ（ＬＣＤ）などの高解像度の表示装置は、高解像度の画像、たとえば１９２０×１０８０画素のフルハイビジョン（ｆｕｌｌ  ｈｉｇｈ  ｄｅｆｉｎｉｔｉｏｎ：ＨＤ）画像を表示する。かなり大きなサイズの高解像度表示パネルに対して、関心が高まっている。しかし、一般に表示パネルのサイズが大きくなるのに従って、製造コストは増加する。本開示によれば、改良された表示装置が提供される。
【発明の概要】
【０００３】
一実施形態では表示装置は、第１の表示パネルと、第２の表示パネルとを含む。第１の表示パネルは第１の画像を発生するように構成され、第２の表示パネルは第１の表示パネル上に配置され、第１の表示パネルからの光を用いて第２の画像を発生するように構成される。第１の表示パネルおよび第２の表示パネルの一方は単色を有し、第１の表示パネルおよび第２の表示パネルの他方はカラーを有する。
【図面の簡単な説明】
【０００４】
【図１】表示装置の例示的実施形態を示す概略図である。
【図２】図１の線ＩＩ−ＩＩに沿った断面図である。
【図３】図１の線ＩＩＩ−ＩＩＩに沿った断面図である。
【図４】図１に示される表示装置のサブ画素を示す概略図である。
【図５】図１に示される表示装置の原色サブ画素および白色サブ画素を示す図である。
【図６】図１に示される表示装置の原色サブ画素および白色サブ画素を示す図である。
【図７】図１に示される表示装置の原色サブ画素と白色サブ画素の重ね合わせによって形成される第３の画素を示す概略図である。
【図８】他の例示的実施形態による表示装置のそれぞれ原色サブ画素および白色サブ画素を示す図である。
【図９】他の例示的実施形態による表示装置のそれぞれ原色サブ画素および白色サブ画素を示す図である。
【図１０】図８および９に示される原色サブ画素と白色サブ画素の重ね合わせによって形成される画素を示す概略図である。
【図１１】さらに他の例示的実施形態による表示装置のそれぞれ原色サブ画素および白色サブ画素を示す図である。
【図１２】さらに他の例示的実施形態による表示装置のそれぞれ原色サブ画素および白色サブ画素を示す図である。
【図１３】図１１および１２にそれぞれ示される原色サブ画素と白色サブ画素の重ね合わせによって形成される画素を示す概略図である。
【発明を実施するための形態】
【０００５】
以下の詳細な説明では、本明細書の一部となる添付の図面を参照する。図面においては同様な記号は、特に言及されない限り、通常は同様な構成要素を識別する。詳細な説明、図面、および特許請求の範囲において述べられる例示的実施形態は、限定を意味するものではない。本明細書に示された本主題の趣旨および範囲から逸脱せずに、他の実施形態を利用することができ、他の変更を行うことができる。本明細書で全体的に述べられ、図に示される本開示の態様は、多様な異なる構成にて配置、置換、組み合わせ、分離、および設計を行えることは容易に理解され、それらのすべては明示的に本明細書において企図される。
【０００６】
図面では、層、膜、パネル、領域などの厚さは、見やすいように誇張されている。明細書の全体を通して同じ参照番号は同じ要素を指す。層、膜、領域、パネル、または基板などの要素が、他の要素「上（ｏｎ）」にあると言及される場合は、それは直接他の要素上にあってもよく、介在要素が存在してもよいことが理解されるであろう。それと対照的に要素が他の要素の「直接上（ｄｉｒｅｃｔｌｙ  ｏｎ）」にあると言及される場合は、介在要素は存在しない。
【０００７】
図１は、表示装置１００が、第１の表示パネル１１０と、第２の表示パネル１２０とを含むことを示す。第１および第２の表示パネル１１０および１２０はそれぞれ平面の表示パネルとすることができるが、それに限定されず、たとえば曲面の表示パネルでもよい。
【０００８】
第１および第２の表示パネル１１０および１２０は、フレーム、ケースなど（図示せず）の中に一緒に結合することができる。例として図１は、第１および第２の表示パネル１１０および１２０は、互いに離れるようにフレーム（図示せず）内に含まれることを示す。別の例として第１および第２の表示パネル１１０および１２０は、フレーム内に互いに接触するように配置することができ、またはフレーム内に近接して配置することができる。一部の実施形態では、表示装置１００の光学特性を向上させるために、第１および第２の表示パネル１１０および１２０の間に光学膜または層を置くことができる。
【０００９】
第１および第２の表示パネル１１０および１２０は、それらの表示領域が互いに重なるように、互いに重なり合うように配置される。ここで表示領域とは画像が表示される領域を指し、表示領域は画素から構成される。表示領域内の画素の重ね合わせについては、本明細書で以下に詳しく述べる。
【００１０】
第１の表示パネル１１０は、第１の画像を発生するように構成され、第２の表示パネル１２０は、第１の表示パネル１１０から放射された光を用いて第２の画像を発生するように構成される。一実施形態では第１の表示パネル１１０は、プラズマディスプレイパネル（ＰＤＰ）、有機ＥＬディスプレイ（ＯＬＥＤ）パネル、電界放出ディスプレイ（ＦＥＤ）パネル、陰極線管（ＣＲＴ）パネル、真空蛍光表示（ＶＦＤ）パネルなどの自発光表示パネルとすることができる。第２の表示パネル１２０は、非限定的に液晶ディスプレイ（ＬＣＤ）パネルなどの非発光表示パネルとすることができる。この場合、第１の表示パネル１１０は光を放射することができ、第１の表示パネル１１０から放射された光は、第２の表示パネル１２０を通過することができる。
【００１１】
他の実施形態では第１の表示パネル１１０は、バックライトユニット（図示せず）を有する非発光表示パネルとすることができ、第２の表示パネルは非発光表示パネルとすることができる。たとえば第１の表示パネル１１０は、バックライトユニットをその下に有するＬＣＤパネルとすることができ、第２の表示パネル１２０は、バックライトユニットをもたないＬＣＤパネルとすることができる。この場合は光をバックライトユニットから放射することができ、光は第１および第２の表示パネル１１０および１２０を順次に通過することができる。したがって第１および第２の表示パネル１１０および１２０はそれぞれ、バックライトユニットからの光を用いて画像を発生することができる。いずれの実施形態においても、図１に示される矢印で表されるように、光は第１および第２の表示パネル１１０および１２０を順次に通過することができる。
【００１２】
第１および第２の表示パネル１１０および１２０の一方は単色であり、第１および第２の表示パネル１１０および１２０の他方はカラーである。たとえば第１および第２の表示パネル１１０および１２０の一方は、白黒とすることができ、第１および第２の表示パネル１１０および１２０の他方は、赤、緑、および青などの３原色を有するカラーとすることができる。
【００１３】
一実施形態では第１および第２の表示パネル１１０および１２０の一方は、たとえば赤色サブ画素、緑色サブ画素、および青色サブ画素などの原色サブ画素を有する第１の画素を含むことができ、第１および第２の表示パネル１１０および１２０の他方は、複数の白色サブ画素を有する第２の画素を含むことができる。ここで画素は、１組のサブ画素として定義され、色を表す基本ユニットである。
【００１４】
第１の画素および第２の画素は、赤色サブ画素、緑色サブ画素、および青色サブ画素のそれぞれが、第２の画素の白色サブ画素のそれぞれと少なくとも部分的に重なり合うように互いに構成され配置される。
【００１５】
図２および図３は、それぞれ図１の線ＩＩ−ＩＩおよびＩＩＩ−ＩＩＩに沿った断面図である。説明のために図２および図３では、第１の表示パネルはＰＤＰとして示され、第２の表示パネル１２０はＬＣＤパネルとして示される。また説明を簡単にするために、基板およびサブ画素のみが示され、ＰＤＰおよびＬＣＤパネルの他の要素は省略されている。
【００１６】
図２を参照すると第１の表示パネル（たとえばＰＤＰ）１１０は、たとえば赤色サブ画素１１５Ｒ、緑色サブ画素１１５Ｇ、および青色サブ画素１１５Ｂなどの原色サブ画素を有する第１の画素１１５を含む。第１の表示パネル１１０は、第１の基板１１１と、第２の基板１１３とを含むことができ、基板１１１および１１３は、非限定的に透明なガラスまたはプラスチックなどの絶縁透明材料から作製することができる。
【００１７】
原色サブ画素１１５Ｒ、１１５Ｇ、および１１５Ｂは、第１の基板１１１上に形成することができるがそれに限定されない。より詳細には第１の表示パネル１１０、たとえばＰＤＰパネルは、第１の基板１１１上に形成されたバリアリブ、アドレス電極、バス電極、透明電極、誘電体層などを含むことができ、サブ画素１１５Ｒ、１１５Ｇ、および１１５Ｂは、バリアリブの間に対応する色の蛍光体の層を形成することによって第１の基板１１１上に形成することができる。例として第１の基板１１１上に、絶縁層で覆われた複数のアドレス電極を形成することができる。バリアリブは、アドレス電極の間に配置された絶縁層上のアドレス電極と平行に形成することができ、蛍光体は、バリアリブの間の絶縁層の表面上に形成することができる。透明電極およびバス電極は、第２の基板１１３の底面上に順次に形成することができ、誘電体層は、バス電極および透明電極を覆うように形成することができる。第１の基板１１１と第２の基板１１３は、それらの間にプラズマ放電空間を形成するため、かつ透明電極およびバス電極をそれぞれアドレス電極と交差させるために、互いに対向することができる。
【００１８】
赤色サブ画素１１５Ｒ、緑色サブ画素１１５Ｇ、および青色サブ画素１１５Ｂは、それぞれ赤色、緑色、および青色を表し、色を表す基本ユニットである第１の画素１１５を形成する。したがって第１の画素１１５は、３つのサブ画素１１５Ｒ、１１５Ｇ、および１１５Ｂの和によって形成される色を有することができる。
【００１９】
他の例示的実施形態では第１の表示パネルとしてＰＤＰの代わりに、有機ＥＬディスプレイ（ＯＬＥＤ）パネルを用いることができる。ＯＬＥＤパネルは、基板、基板上に配置された第１の電極（たとえばアノード）、有機材料を含み第１の電極上に配置された発光層、および発光層上に配置された第２の電極（たとえばカソード）を含むことができる。基板は、ガラスなどの透明材料から作製することができる。第１および第２の電極は、ＯＬＥＤのタイプに応じて、透明材料、半透明材料、または反射材料から作製することができる。たとえば透明材料は、インジウム錫酸化物（ＩＴＯ）またはインジウム亜鉛酸化物（ＩＺＯ）とすることができる。この場合、原色サブ画素は、発光層上にまたは第１の電極上にカラーフィルタを形成することによって形成することができる。カラーフィルタ、たとえば赤色フィルタ、緑色フィルタ、および青色フィルタは、スピンコーティングまたはロールコーティングにより発光層上にまたは第１の電極上に色（Ｒ、Ｇ、またはＢ）顔料を含むカラー（Ｒ、Ｇ、またはＢ）フォトレジスト（ＰＲ）を適用し、次いでカラーＰＲを露光し、所望のパターンを有するマスクを用いて露光されたカラーＰＲを現像し、ベーキングすることによって形成することができる。
【００２０】
さらに他の例示的実施形態では第１の表示パネルとしてＰＤＰの代わりに、液晶ディスプレイ（ＬＣＤ）パネルを用いることができる。ＬＣＤパネルは、第１の基板（たとえばＴＦＴアレイ基板）、第２の基板（たとえばカラーフィルタ基板）、第１の基板と第２の基板の間に置かれた液晶層、偏光板などを含むことができる。原色サブ画素は、カラーフィルタ基板の底面上にカラーフィルタを形成することによって形成することができる。カラーフィルタは、ＯＬＥＤのカラーフィルタを形成するのと同じ方法によって形成することができる。
【００２１】
図３を参照すると、第２の表示パネル（たとえばＬＣＤパネル）１２０は、複数の白色サブ画素１２５Ｗを含む。白色サブ画素１２５Ｗは、それぞれ透明な白色を表す。図３は、３つの白色サブ画素１２５Ｗが第２の画素１２５を形成することを示すが、当業者には第２の画素１２５はまた、２つ、または４つ以上の白色サブ画素１２５Ｗによっても形成できることは明らかである。第２の表示パネル１２０は、第１の基板（たとえばＴＦＴアレイ基板）１２１、および第２の基板（たとえばカラーフィルタ基板）１２３を含むことができ、基板１２１および１２３は、非限定的に透明なガラスまたはプラスチックなどの絶縁透明材料から作製することができる。
【００２２】
白色サブ画素１２５Ｗは、第２の基板１２３の底面上に形成することができるが、それに限定されない。より詳細には第２の表示パネル１２０、たとえばＬＣＤパネルは、薄膜トランジスタ（ＴＦＴ）層、液晶層、電極などを含むことができる。たとえばゲート線およびデータ線などの表示信号線は、第１の基板１２１上に形成することができる。第１の基板１２１上にはまた、透過性キャパシタ、蓄積キャパシタなどを含むＴＦＴ層を形成することができ、これらのキャパシタは透過性電極、反射性電極、蓄積電極などを含むことができる。第２の基板１２３の底面上には、共通電極およびカラーフィルタを形成することができる。第１および第２の基板１２１および１２３は、互いに対向するように配置することができ、液晶層をそれらの間に置くことができる。
【００２３】
白色サブ画素１２５Ｗはたとえば、第２の基板１２３の底面上に、対応する領域上に透明カラーフィルタを形成することによって形成することができ、または対応する領域上にカラーフィルタを形成せずに形成することができる。白色サブ画素１２５Ｗの透明カラーフィルタは、顔料を有しないフォトレジスト（ＰＲ）から作製することができる。
【００２４】
例示的実施形態による表示装置のサブ画素の構成および配置について、図４から図７を参照して述べる。図４は、図１に示される表示装置のサブ画素を示す概略図である。図５および図６はそれぞれ、図１に示される表示装置の原色サブ画素および白色サブ画素を示す。図７は、図１に示される表示装置の原色サブ画素と白色サブ画素の重ね合わせによって形成される第３の画素を示す概略図である。
【００２５】
図４には、第１の表示パネル１１０の赤色、緑色、および青色サブ画素１１５Ｒ、１１５Ｇ、および１１５Ｂは、Ｙ軸に沿って同じ平面内に配置され、第２の表示パネル１２０の白色サブ画素１２５Ｗは、原色サブ画素１１５Ｒ、１１５Ｇ、および１１５Ｂの上に配置され、Ｘ軸に沿って配置されることが示される。図４から図７は、原色サブ画素１１５Ｒ、１１５Ｇ、および１１５Ｂ、ならびに白色サブ画素１２５Ｗはストライプ状に配置されることを示すが、当業者には原色サブ画素１１５Ｒ、１１５Ｇ、および１１５Ｂ、ならびに白色サブ画素１２５Ｗは、ストライプ状およびマトリックス状など様々な形状に配置できることは明らかである。原色サブ画素１１５Ｒ、１１５Ｇ、および１１５Ｂのそれぞれのサイズは、互いに等しくてもよく異なってもよく、原色サブ画素１１５Ｒ、１１５Ｇ、および１１５Ｂの順序を変えてもよい。さらに白色サブ画素１２５Ｗのサイズも、互いに等しくてもよく異なってもよい。
【００２６】
第１の表示パネル１１０の第１の画素１１５、および第２の表示パネル１２０の第２の画素１２５は、原色サブ画素１１５Ｒ、１１５Ｇ、および１１５Ｂのそれぞれが、白色サブ画素１２５Ｗのそれぞれに少なくとも部分的に重なり合うように構成し配置することができる。例として図７は、第２の表示パネル１２０の白色サブ画素１２５Ｗのそれぞれは、原色サブ画素１１５Ｒ、１１５Ｇ、および１１５Ｂのそれぞれの一部分に少なくとも部分的に重なり合い、それに従って３つの第３の画素ＰＸが形成されることが示される。ここで第３の画素ＰＸとは、表示装置１００の色を表す単位画素を指し、図７に示されるように各画素ＰＸは、サブ画素１１５Ｒの一部分と１つの白色サブ画素１２５Ｗとの第１の重なり部分、サブ画素１１５Ｇの一部分と同じ白色サブ画素との第２の重なり部分、およびサブ画素１１５Ｂの一部分と同じ白色サブ画素との第３の重なり部分を含む。３つの第１の重なり部分は、赤色サブ画素１１５Ｒの各部分でありそれぞれ同じ赤色を表し、３つの第２の重なり部分は、緑色サブ画素１１５Ｇの各部分でありそれぞれ同じ緑色を表し、３つの第３の重なり部分は、青色サブ画素１１５Ｂの各部分でありそれぞれ同じ青色を表す。したがって３つの第３の画素ＰＸは、それぞれ３原色の同じ組み合わせを含み、したがって各第３の画素ＰＸの色は、その色サブ画素によって表される原色の和から生じ、実質的に同じとなる。しかし各第３の画素ＰＸは、独立の白色サブ画素１２５Ｗを含み、これは異なる明るさを表すように独立に制御することができる。図面には示されないが各サブ画素は、スイッチングＴＦＴなどの制御要素を有することができ、制御要素の動作によって異なる色または明るさを表すように独立に制御することができる。したがって原色サブ画素１１５Ｒ、１１５Ｇ、および１１５Ｂを独立の白色サブ画素１２５Ｗに重ね合わせることによって形成される各第３の画素ＰＸは、第１の表示パネル１１０の３つの原色サブ画素１１５Ｒ、１１５Ｇ、および１１５Ｂの色の和によって表される色を表すことができるが、その表される色は上述のように独立に制御される白色サブ画素１２５Ｗにより、各第３の画素ＰＸごとに異なる明るさを有することができる。したがって３つの画素ＰＸは、６つのサブ画素、すなわち３つのサブ画素１１５Ｒ、１１５Ｇ、および１１５Ｂと、３つの白色サブ画素１２５Ｗとによって形成される。
【００２７】
図７を再び参照すると、３つの画素ＰＸは、６つのサブ画素、すなわち３つの原色サブ画素１１５Ｒ、１１５Ｇ、および１１５Ｂと、３つの白色サブ画素１２５Ｗとを用いて形成することができる。画素ＰＸは、サブ画素の重ね合わせ（たとえば、色サブ画素と白色サブ画素の重ね合わせ）によって形成することができるので、３つの画素ＰＸを形成するための色サブ画素の数は３だけ減らすことができる。図面には示されないが、２つの画素ＰＸは、３つの原色サブ画素と２つの白色サブ画素とを重ね合わせることによって形成することができる。さらに、サブ画素のサイズを減少せずに、所与の領域内により多くの数の画素ＰＸを形成することができる。したがって色サブ画素を重ね合わせることなく色サブ画素を平行にまたは直列に配置することによって画素が形成される場合は、画素の数を減少する、または色サブ画素のサイズを減少することができる。たとえば図７に示されるように、３原色を平行に配置することによって同じ領域内に３つの画素ＰＸが形成される場合は、それぞれの色サブ画素は、図７に示される色サブ画素のサイズの３分の１に減少させることができる。
【００２８】
他の例示的実施形態による表示装置のサブ画素の構成および配置について、図８から図１０を参照して説明する。図８および図９はそれぞれ、他の例示的実施形態による表示装置の原色サブ画素および白色サブ画素を示す。図１０は、図８および９に示される原色サブ画素と白色サブ画素の重ね合わせによって形成される画素を示す概略図である。
【００２９】
図８は、第１の画素２１５は原色サブ画素、たとえば赤色サブ画素２１５Ｒ、緑色サブ画素２１５Ｇ、および青色サブ画素２１５Ｂを含むことを示す。原色サブ画素は様々な形状を有することができ、それらは互いに対して様々なやり方で配置することができる。例として図８は、原色サブ画素２１５Ｒ、２１５Ｇ、および２１５Ｂはそれぞれ、２つの対向面と、対向面を接続する１つの面とを有することを示す。図８はさらに、各原色サブ画素は対向面の間の異なる距離を有し、各原色サブ画素の各面は異なる長さを有することを示す。図８はさらに、原色サブ画素２１５Ｒ、２１５Ｇ、および２１５Ｂは、原色サブ画素の対向面が交互に配置されるように、配置されることを示す。図９は第２の画素２２５は、２×２のマトリックスに配置された４つの白色サブ画素２２５Ｗを含むことを示す。図１０は、原色サブ画素２１５Ｒ、２１５Ｇ、および２１５Ｂは、原色サブ画素２１５Ｒ、２１５Ｇ、および２１５Ｂのそれぞれが、白色サブ画素２２５Ｗのそれぞれと少なくとも部分的に重なり合うように配置されることを示す。
【００３０】
一実施形態では、原色サブ画素２１５Ｒ、２１５Ｇ、および２１５Ｂのそれぞれは、４つの白色サブ画素２２５Ｗのそれぞれと重ね合わせられるように配置された各部分を有するように構成することができる。したがって３つの原色サブ画素２１５Ｒ、２１５Ｇ、および２１５Ｂすべての各部分は、白色サブ画素２２５Ｗのそれぞれの下に（または上に）配置することができる。したがって、２×２のマトリックス状に配置された４つの画素ＰＸを形成することができる。ここで形成される画素ＰＸの数は、白色サブ画素の数に基づいて決定することができる。
【００３１】
原色サブ画素２１５Ｒ、２１５Ｇ、および２１５Ｂの形状は、原色サブ画素２１５Ｒ、２１５Ｇ、および２１５Ｂのそれぞれが白色サブ画素２２５Ｗのそれぞれに少なくとも部分的に重なり合うことができる限り、変えることができる。他の実施形態では、図８に示される原色サブ画素の１つまたは２つを、他の原色サブ画素に対して回転させるように構成することができる。例として赤色サブ画素２１５Ｒは、緑色サブ画素２１５Ｇおよび／または青色サブ画素２１５Ｂに対して時計方向／反時計方向にたとえば９０°（または１８０°または２７０°）だけ回転させ、それにより赤色サブ画素２１５Ｒの少なくとも一部分が白色サブ画素２２５Ｗのそれぞれと重なり合うことができるようにすることができる。他の実施形態では、原色サブ画素２１５Ｒ、２１５Ｇ、および２１５Ｂは、異なるサイズを有する円形または矩形のリングの形状を有することができる。このようなリング形状を有する３つの原色サブ画素は、同心円状に配置することができる。
【００３２】
さらに他の例示的実施形態による表示装置のサブ画素の構成および配置について、図１１から図１３を参照して述べる。図１１および図１２はそれぞれ、さらに他の例示的実施形態による表示装置の原色サブ画素および白色サブ画素を示す。図１３は、それぞれ図１１および１２に示される原色サブ画素と白色サブ画素の重ね合わせによって形成される画素を示す概略図である。
【００３３】
図１１は、第１の画素３１５は、３つの原色サブ画素、たとえば赤色サブ画素３１５Ｒ、緑色サブ画素３１５Ｇ、および青色サブ画素３１５Ｂを含むことを示す。原色サブ画素３１５Ｒ、３１５Ｇ、および３１５Ｂは、様々な形状を有することができ、互いに対して様々なやり方で配置することができる。例として図１１は、原色サブ画素３１５Ｒ、３１５Ｇ、および３１５Ｂは、平行に配置された３つの面と、３つの面を接続する１つの面とを有することを示す。各原色サブ画素の３つの面の間の距離は異なってもよく、各原色サブ画素の各面は異なる長さを有することができる。図１１はまた、原色サブ画素３１５Ｒ、３１５Ｇ、および３１５Ｂは、原色サブ画素の平行な面が交互に配置されるように、配置されることを示す。図１２は、第２の画素３２５は、３×３のマトリックスに配置された９個の白色サブ画素３２５Ｗを含むことを示す。図１２は、原色サブ画素３１５Ｒ、３１５Ｇ、および３１５Ｂのそれぞれは、白色サブ画素３２５Ｗのそれぞれと少なくとも部分的に重なり合うことを示す。
【００３４】
一実施形態では原色サブ画素３１５Ｒ、３１５Ｇ、および３１５Ｂのそれぞれは、９個の白色サブ画素３２５Ｗのそれぞれと重ね合わされるように配置される各部分を有するように構成することができる。したがって３つの原色サブ画素３１５Ｒ、３１５Ｇ、および３１５Ｂすべての各部分は、白色サブ画素３２５Ｗのそれぞれの下に（または上に）配置することができる。したがって、３×３のマトリックス状に配置された９個の画素ＰＸを形成することができる。
【００３５】
原色サブ画素３１５Ｒ、３１５Ｇ、および３１５Ｂの形状は、原色サブ画素３１５Ｒ、３１５Ｇ、および３１５Ｂのそれぞれが白色サブ画素３２５Ｗのそれぞれと少なくとも部分的に重なり合うことができるということが満足される限り、変えることができる。他の実施形態では、図１１に示される原色サブ画素の１つまたは２つを、他の原色サブ画素に対して回転させるように構成することができる。例として赤色サブ画素３１５Ｒは、緑色サブ画素３１５Ｇおよび／または青色サブ画素３１５Ｂに対して、時計方向または反時計方向に、たとえば９０°（または１８０°または２７０°）だけ回転させることができ、それにより赤色サブ画素３１５Ｒの少なくとも一部分が白色サブ画素３２５Ｗのそれぞれと重なり合うことができるようにすることができる。さらに他の実施形態では、原色サブ画素３１５Ｒ、３１５Ｇ、および３１５Ｂは、平行に配置された３つの面と、それぞれ上側２つの右側の端部、および下側２つの左側の端部を接続する２つの面とを有することができる。原色サブ画素が交差する領域では、原色サブ画素は、互いに接触しないように垂直方向に曲げることによって垂直方向での異なる層に形成することができる。
【００３６】
第１の表示パネル１１０は原色サブ画素を含み、第２の表示パネル１２０は白色サブ画素を含むように示されたが、当業者には第１の表示パネルが白色サブ画素を含むことができ、第２の表示パネルが原色サブ画素を含むことができることは明らかである。第１の表示パネルが白色サブ画素を含むＰＤＰである一実施形態では、ＰＤＰの白色サブ画素は、白色蛍光体を形成することによって形成することができる。第１の表示パネルが、白色サブ画素を含むＬＣＤパネルまたはＯＬＥＤパネルである他の実施形態では、ＬＣＤパネルまたはＯＬＥＤパネルの白色サブ画素は、顔料を有しないフォトレジスト（ＰＲ）を有する透明カラーフィルタを形成することによって形成することができる。このような場合は、第２の表示パネルは原色サブ画素を含むＬＣＤパネルとすることができ、ＬＣＤパネルの原色サブ画素は色（Ｒ、Ｇ、およびＢ）顔料を含む、色（Ｒ、Ｇ、またはＢ）ＰＲを有するカラー（Ｒ、Ｇ、またはＢ）フィルタを形成することによって形成することができる。
【００３７】
本明細書に記載された主題は、様々なコンポーネントをしばしば例示しており、これらのコンポーネントは、他の様々なコンポーネントに包含されるか、または他の様々なコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００３８】
本明細書における実質的にすべての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００３９】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、Ａ、Ｂ、およびＣの少なくとも１つを有するシステムは、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、Ａ、Ｂ、またはＣの少なくとも１つを有するシステムは、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含む���、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００４０】
加えて、本開示の特徴または態様がマーカッシュグループによって述べられる場合は、当業者には、それによって本開示はまたマーカッシュグループの任意の個別のメンバまたはメンバのサブグループによって説明されることが理解されよう。
【００４１】
当業者には理解されるように、文書での説明を用いるなど、あらゆる目的のために、本明細書で開示されたすべての範囲は、そのあらゆる可能な部分範囲および部分範囲の組み合わせも包含するものである。いずれの列挙された範囲も、同じ範囲が少なくとも等しい半分、１／３、１／４、１／５、１／１０などに分割されることを十分に説明し可能にしていると容易に理解され得る。非限定的な例として、本明細書で述べられる各範囲は、下位の１／３、中間の１／３、上位の１／３などに容易に分割することができる。また当業者には理解されるように、「までの」、「少なくとも」などのすべての用語は記載された数を含み、上述のように続いて部分範囲に分割することができる範囲を指す。最後に当業者には理解されるように、１つの範囲は各個別の数を含む。したがってたとえば、１〜３個のセルを有する群は、１、２、または３個のセルを有する群を指す。同様に１〜５個のセルを有する群は、１、２、３、４、または５個のセルを有する群を指すなどとなる。
【００４２】
上記から、本明細書において説明のために本開示の様々な実施形態について述べられ、本開示の範囲および趣旨から逸脱せずに様々な変更をなし得ることが理解されるであろう。したがって本明細書で開示された様々な実施形態は、限定するものではなく、実際の範囲および趣旨は添付の特許請求の範囲によって示される。
【図１】
0005525653.tif 000002
【図２】
0005525653.tif 000003
【図３】
0005525653.tif 000004
【図４】
0005525653.tif 000005
【図５】
0005525653.tif 000006
【図６】
0005525653.tif 000007
【図７】
0005525653.tif 000008
【図８】
0005525653.tif 000009
【図９】
0005525653.tif 000010
【図１０】
0005525653.tif 000011
【図１１】
0005525653.tif 000012
【図１２】
0005525653.tif 000013
【図１３】
0005525653.tif 000014